(57)【要約】【課題】無駄を省くことができるペットシーツを提供する。【解決手段】ペットシーツ１を、外形形状を形成するシーツ本体１１と、シーツ本体１１内に設けられた吸収体１２とで構成し、シーツ本体１１を正方形に形成する。吸収体１２も正方形に形成し、中心点１５を回転中心とする点対称形状とする。吸収体１２を、シーツ本体１１の中心に配置し、吸収体１２の外周部に、枠状の押さえ代２１を形成する。これにより、ペットシーツ１をペット用トイレに固定する際に、外周部分を形成するとともに吸収体１２を不具備な押さえ代２１を押さえて固定可能とする。【選択図】　　　　　図１
2004057135.tif 000002
【特許請求の範囲】
【請求項１】
外形形状を形成するシーツ本体と、該シーツ本体内に設けられた吸収体とにより構成するとともに、該吸収体を点対称形状としたことを特徴とするペットシーツ。
【発明の詳細な説明】
【０００１】
【発明の属する技術分野】
本発明は、ペットの排泄物を処理するペットシーツに関する。
【０００２】
【従来の技術】
従来、室内で飼育するペットの排泄物を処理する際には、長方形状のペットシーツが用いられていた。
【０００３】
【発明が解決しようとする課題】
しかしながら、このようなペットシーツは、長方形状に形成されているため、長手方向一方側で排泄が行われ他方側に未使用部分が残存する場合であっても、悪臭が発生する等の理由から所定時間経過後には、廃棄しなければならなかった。
【０００４】
このため、ペットシーツ全体を使い切ることができず、無駄が多かった。
【０００５】
本発明は、このような従来の課題に鑑みてなされたものであり、無駄を省くことができるペットシーツを提供することを目的とするものである。
【０００６】
【課題を解決するための手段】
前記課題を解決するために本発明のペットシーツにあっては、外形形状を形成するシーツ本体と、該シーツ本体内に設けられた吸収体とにより構成するとともに、該吸収体を点対称形状とした。
【０００７】
すなわち、このペットシーツにおいては、排尿などの水分を吸収する吸収体が、シーツ本体の形状と無関係に、点対称形状に形成されている。
【０００８】
このため、この吸収体の中心部に排泄された尿などは、当該吸収体の全域に亘って拡がり、分散して吸収される。
【０００９】
【発明の実施の形態】
（第１の実施の形態）
【００１０】
以下、本発明の第１の実施の形態を図に従って説明する。図１は、本実施の形態にかかるペットシーツ１を示す図であり、該ペットシーツ１は、室内で飼育するペットの排泄物の処理用に使用されるものである。
【００１１】
このペットシーツ１は、外形形状を形成するシーツ本体１１と、該シーツ本体１１内に設けられた吸収体１２とによって構成されている。前記シーツ本体１１は、正方形に形成されており、縦辺１３及び横辺１４が、４４０ｍｍに設定されている。また、前記吸収体１２も正方形、すなわち中心点１５を回転中心として９０度、１８０度回転させた際に同形状となる点対称形状に形成されており、縦辺１６及び横辺１７が４００ｍｍに設定されている。
【００１２】
ここで、ペットとして飼育される代表的な中型犬において、前後の脚間距離を調べたところ、ほとんどの中型犬の前後の脚間距離が３５０ｍｍ〜３８０ｍｍであることが分かった。
【００１３】
その一例を挙げると、ダックスフンドの平均的な前後の脚間距離は３５０ｍｍであった。また、シー・ズーの平均的な前後の脚間距離は３３０ｍｍであり、コーギーの平均的な前後の脚間距離は３８０ｍｍであった。このため、このペットシーツ１の吸収体１２を長方形とした際に、その短辺が３３０ｍｍ未満になることがあり、この場合、当該ペットシーツ上で用を足す中型犬の一方の脚が吸収体１２から、はみ出すこととなる。すると、はみ出した脚によって床面を汚す恐れがある。
【００１４】
しかし、本実施の形態では、正方形に形成された吸収体１２の縦辺１６及び横辺１７の長さ寸法が４００ｍｍに設定されていて、中心点１５から周縁までの最短距離が２００ｍｍに設定されている。これにより、この中心点１５付近で用を足した際に、中型犬における前後の脚を吸収体１２上に位置させることができ、床面の汚れを未然に防止することができる。
【００１５】
そして、この吸収体１２は、前記シーツ本体１１の中心に配置されており、当該吸収体１２の外周部には、２０ｍｍ幅の押さえ代２１が枠状に形成されている。これにより、当該ペットシーツ１をペット用トイレに固定する際に、外周部分を形成するとともに、前記吸収体１２を不具備な前記押さえ代２１を押さえて固定できるように構成されている。
【００１６】
図２は、前記ペットシーツ１の断面構造を示す模式図である。このペットシーツ１は、裏面が防水性を有したＰＥ（ポリエチレン）フィルム３１によって形成されており、該ＰＥフィルム３１上には、ビード状のホットメルト３２，・・・を介して、吸収体１２外部を構成するキャリアティッシュ３３が固定されている。該キャリアティッシュ３３は、その両サイド３４，３４が上方に折り曲げられており、その内側には、水分を吸収するパルプ層３５と、水分を吸収して保持する吸水ポリマー３６と、トップティッシュ３７とが下から順に積層されている。
【００１７】
このキャリアティッシュ３３上には、ファイバーからなるシート状のホットメルト４１が積層されており、該ホットメルト４１上には、当該ペットシーツ１上面を形成する不織布４２が積層固定されている。この不織布４２の外周部は、前記ホットメルト４１と共に前記ＰＥフィルム３１に接合され前記押さえ代２１が形成されており（図示省略）、前記不織布４２及び前記ＰＥフィルム３１によって、前記シーツ本体１１が形成されている。
【００１８】
図３は、ペットシーツ１の製造工程を示す模式図であり、先ず、キャリアティッシュ３３となるベース紙５１を下流側へ送り、このベース紙５１に粉砕パルプ５２を配するとともに、この上に吸水ポリマー５３とシリカ５４とを順に配する。そして、前記トップティッシュ３７となるブルーの上紙５５を積層して折返し位置５６にて両サイド３４，３４を折返し、ローラ５７で押圧して上面にエンボスを形成する。その後、エンボスが形成された前記上紙５５とベース紙５１とを溶着機５８で溶着し、切断機５９で所定の寸法に切断して吸収体１２を形成する。
【００１９】
この吸収体１２を、ポリエチレン製の下地６１と不織布からなる上布６２とによって上下から挟み込み、前記下地６１と前記上布６２とを溶着機６３で溶着する。そして、切断機６４で所定の寸法に切断してペットシーツ１を完成させる。
【００２０】
以上の構成にかかる本実施の形態において、排尿などの水分を吸収する吸収体１２が、シーツ本体１１の形状と無関係に、中心点１５を回転中心とした点対称形状に形成されている。このため、この吸収体１２の中心部である中心点１５付近に排泄された尿などの水分を、当該吸収体１２周縁へ向けて拡げることで、その全域に亘って拡散することができる。これにより、尿などの水分を、吸収体１５全域で吸収することができる。
【００２１】
したがって、長方形状の長手方向一方側で排泄され他方側に未使用部分が残存する場合であっても廃棄しなければならず、全体を使い切ることができなかった従来のペットシーツと比較して、吸収体１２の無駄を防止することができる。これにより、比較的高価で複雑な構造を有した吸収体１２を効率良く活用することができ、無駄を省いたペットシーツ１となり得る。
【００２２】
なお、本実施の形態にあっては、正方形のシーツ本体１１内に正方形の吸収体１２が設けられた場合を例に挙げて説明したが、これらの形状に限定されるものでは無い。
【００２３】
（第２の実施の形態）
すなわち、図４の（ａ）は、第２の実施の形態に係るペットシーツ１０１を示す図であり、前述した第１の実施の形態と同様の構成を有したシーツ本体１０２内に、第１の実施の形態と同様の構成を有した吸収体１０３が設けられている。
【００２４】
前記シーツ本体１０２は、正方形に形成されており、縦辺１１１及び横辺１１２が同寸法に設定されている。また、前記吸収体１０３は、円形、すなわち中心点１１３を回転中心として９０度、１２０度、１８０度回転させた際に同形状となる点対称形状に形成されており、直径１１４が、前記シーツ本体１０２の縦辺１１１及び横辺１１２より短く設定されている。この直径１１４は、第１の実施の形態で述べたように、４００ｍｍに設定することが好ましく、中心点１１３から周縁までの最短距離が２００ｍｍに設定されているものとする。
【００２５】
この吸収体１０３は、前記シーツ本体１０２の中心に配置されており、当該吸収体１０３の外周部には、第１の実施の形態と同様に、押さえ代１２１が形成されている。
【００２６】
以上の構成にかかる本実施の形態において、排尿などの水分を吸収する吸収体１０３が、シーツ本体１０２の形状と無関係に、中心点１１３を回転中心とした点対称形状に形成されている。このため、この吸収体１０３の中心部である中心点１１３付近に排泄された尿などの水分を、当該吸収体１０３周縁へ向けて半径方向に拡げることで、その全域に亘って拡散することができる。これにより、尿などの水分を、吸収体１０３全域で吸収することができる。
【００２７】
したがって、長方形状の長手方向一方側で排泄され他方側に未使用部分が残存する場合であっても廃棄しなければならず、全体を使い切ることができなかった従来のペットシーツと比較して、吸収体１０３の無駄を防止することができる。これにより、比較的高価で複雑な構造を有した吸収体１０３を効率良く活用することができ、無駄を省いたペットシーツ１０１となり得る。
【００２８】
（第３の実施の形態）
一方、図４の（ｂ）は、第３の実施の形態に係るペットシーツ２０１を示す図であり、前述した第１の実施の形態と同様の構成を有したシーツ本体２０２内に、第１の実施の形態と同様の構成を有した吸収体２０３が設けられている。
【００２９】
前記シーツ本体２０２は、横長の長方形状に形成されており、縦辺２１１の寸法が横辺２１２の寸法より短く設定されている。また、前記吸収体２０３は、正方形、すなわち中心点２１３を回転中心として９０度、１８０度回転させた際に同形状となる点対称形状に形成されており、縦辺２１４と横辺２１５とが同寸法に設定されている。これら縦辺２１４及び横辺２１５の寸法は、第１の実施の形態で述べたように、４００ｍｍに設定することが好ましく、中心点２１３から周縁までの最短距離が２００ｍｍに設定されているものとする。
【００３０】
この吸収体２０３は、前記シーツ本体２０２の中心に配置されており、当該吸収体２０３の外周部には、第１の実施の形態と同様に、押さえ代２２１が形成されている。
【００３１】
以上の構成にかかる本実施の形態において、排尿などの水分を吸収する吸収体２０３が、シーツ本体２０２の形状と無関係に、中心点２１３を回転中心とした点対称形状に形成されている。このため、この吸収体２０３の中心部である中心点２１３付近に排泄された尿などの水分を、当該吸収体２０３周縁へ向けて拡げることで、その全域に亘って拡散することができる。これにより、尿などの水分を、吸収体２０３全域で吸収することができる。
【００３２】
したがって、長方形状の長手方向一方側で排泄され他方側に未使用部分が残存する場合であっても廃棄しなければならず、全体を使い切ることができなかった従来のペットシーツと比較して、吸収体２０３の無駄を防止することができる。これにより、比較的高価で複雑な構造を有した吸収体２０３を効率良く活用することができ、無駄を省いたペットシーツ２０１となり得る。
【００３３】
なお、前述した各実施の形態にあっては、吸収体１２，１０３，２０３が正方形や円形の場合を例に挙げて説明したが、これらの形状に限定されるものでは無く、正五角形や正六角形など中心点を回転中心として所定角回転した際に元の形状と重なる回転対称な図形形状であっても良い。
【００３４】
【発明の効果】
以上説明したように、本発明のペットシーツにあっては、排尿などの水分を吸収する吸収体が点対称形状に形成されている。このため、この吸収体の中心部に排泄された尿などを、当該吸収体の全域に亘って拡散することで、その全域で吸収することができる。
【００３５】
したがって、長方形状の長手方向一方側で排泄され他方側に未使用部分が残存する場合であっても廃棄しなければならず、全体を使い切ることができなかった従来のペットシーツと比較して、吸収体の無駄を防止することができる。これにより、比較的高価な吸収体を効率良く活用することができ、無駄を省いたペットシーツとなり得る。
【図面の簡単な説明】
【図１】本発明の第１の実施の形態を示す平面図である。
【図２】同実施の形態の断面構造を示す模式図である。
【図３】同実施の形態の製造工程を示す模式図である。
【図４】本発明の実施の形態を示す図で、（ａ）は第２の実施の形態を示す平面図であり、（ｂ）は第３の実施の形態を示す平面図である。
【符号の説明】
１　　ペットシーツ
１１　　シーツ本体
１２　　吸収体
１５　　中心点
１０１　　ペットシーツ
１０２　　シーツ本体
１０３　　吸収体
１１３　　中心点
２０１　　ペットシーツ
２０２　　シーツ本体
２０３　　吸収体
２１３　　中心点
【図１】
2004057135.tif 000003
【図２】
2004057135.tif 000004
【図３】
2004057135.tif 000005
【図４】
2004057135.tif 000006